(57)【要約】【課題】  コスト上昇を招くことなく照明形式の変更や光源の交換作業が行えると共に光源からの投光量の低下を防止できる構成の照明装置を備えた遊技機を提供する。【解決手段】  図柄表示部材が表面に設けられて回転可能なリール部材Ｒ１，Ｒ２，Ｒ３および図柄表示部材を裏側から照明する照明装置１０００２を備えた遊技機において、上記照明装置１００２は、上記図柄表示部材を照明する複数の光源１００３と、これら複数の光源１００３を纏めて収容可能なハウジング１００２Ａとを備え、上記ハウジング１００２Ａには、上記光源１００３同士の間を仕切る部材１００４が着脱可能に設けられ、上記光源１００３の点灯方式に応じて該光源同士のいずれかを仕切る構成１００５とされていることを特徴とする。【選択図】    図４
2005124899.tif 000002
【特許請求の範囲】
【請求項１】
図柄表示部材が表面に設けられて回転可能なリール部材および図柄表示部材を裏側から照明する照明装置を備えた遊技機において、
上記照明装置は、上記図柄表示部材を照明する複数の光源と、これら複数の光源を纏めて収容可能なハウジングとを備え、
上記ハウジングには、上記光源同士の間を仕切る部材が着脱可能に設けられ、上記光源の点灯方式に応じて該光源同士のいずれかを仕切る構成とされていることを特徴とする遊技機。
【請求項２】
請求項１記載の遊技機において、
上記光源同士のいずれかを仕切る部材は、その表面が反射面とされていることを特徴とする遊技機。
【請求項３】
請求項１または２記載の遊技機において、
上記光源は、上記ハウジングの底部あるいは側面内部に配置されることを特徴とする遊技機。
【請求項４】
請求項１乃至３のうちの一つに記載の遊技機において、
上記ハウジングは、予め成形加工されて上記光源を纏めて収容可能な構成とされ、上記光源同士のいずれかを仕切る部材は、上記ハウジングに設けられている嵌合部に対して着脱可能であることを特徴とする遊技機。
【請求項５】
請求項１乃至４のうちの一つに記載の遊技機において、
上記光源同士のいずれかを仕切る部材は、上記ハウジングに装着された際に抜け止めされることを特徴とする遊技機。
【請求項６】
請求項３または４記載の遊技機において、
上記光源同士のいずれかを仕切る部材は、上記嵌合部に対して締まり嵌めされる構成であることを特徴とする遊技機。
【発明の詳細な説明】
【技術分野】
【０００１】
本発明は遊技機に関し、さらに詳しくは、パチンコ遊技機、スロットマシンあるいは雀球機さらにはパチスロマシンやゲームセンタで用いられるゲーム機などの箱形遊技機に装備されている回転リールの照明構造に関する。
【背景技術】
【０００２】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
図柄を表示するために用いられるリールは、種々の図柄を表示したリールテープなどを外周面に貼り付けられたドラムが用いられ、ドラム内部にはリールテープの背後から図柄照明用の光源を備えたリール照明装置が設けられている（例えば、特許文献１）。
上記特許文献には、リールを構成するドラムの内部において複数の間仕切りにより区画された空間を有するランプハウジングが設けられ、各区画空間内にＬＥＤ等の照明光源を設けた構成が開示されている。
【０００４】
【特許文献１】特開２００３−６２１５２号公報（段落「００１６」欄）
【発明の開示】
【発明が解決しようとする課題】
【０００５】
通常、スロットマシンにおいては、前面扉に設けてあるフロントパネルにおけるリール露出窓に入賞ラインが表示されており、入賞ラインは、横３本およびこれら横方向の入賞ラインの内で上下に位置する入賞ラインの末端同士を結んだ斜め２本が設けられており、各ライン上での図柄を照明するようになっている。このため、照明装置内に設けられている光源も横３本の入賞ラインに対応するレイアウトで上下方向に沿って３個並べて、３ライン照明可能な構成とされている。
しかし、各光源が予め仕切られた状態の構成からなるランプハウジングを用いた場合、照明ラインの変更、つまり、３ライン方式からそれ以下のライン照明が必要な場合等には、一々照明装置を交換することがあり、コスト上昇を招く虞があった。
【０００６】
また、ランプハウジングに装備されている光源の交換時には、比較的狭い空間に仕切られている関係上、光源の取り出しや装着が行いにくく、交換作業に手間がかかるという不具合もあり、このような理由からも照明装置、つまりランプハウジングそのものを交換することが多かった。
従って、照明形式や光源のメンテナンスに対応するべく新たなランプハウジングを用意することはコスト上昇を招くことになる。しかも、既存のランプハウジングにより照明効果を容易に変更して演出効果を目新しくするようなことは殆どできないのが現状である。
しかも、仕切部材を設けた場合には、仕切部材により光が遮られやすくなり、これによりリールテープを照明する光量が低下することがあり、遊技者にとって見づらい状況となることもある。
【０００７】
本発明の目的は、上記従来の遊技機、特に照明装置における問題に鑑み、コスト上昇を招くことなく照明形式の変更や光源の交換作業が行えると共に光源からの投光量の低下を防止できる構成の照明装置を備えた遊技機を提供することにある。
【課題を解決するための手段】
【０００８】
請求項１記載の発明は、図柄表示部材が表面に設けられて回転可能なリール部材および図柄表示部材を裏側から照明する照明装置を備えた遊技機において、上記照明装置は、上記図柄表示部材を照明する複数の光源と、これら複数の光源を纏めて収容可能なハウジングとを備え、上記ハウジングには、上記光源同士の間を仕切る部材が着脱可能に設けられ、上記光源の点灯方式に応じて該光源同士のいずれかを仕切る構成とされていることを特徴としている。
【０００９】
請求項２記載の発明は、請求項１記載の発明に加えて、上記光源同士のいずれかを仕切る部材は、その表面が反射面とされていることを特徴としている。
【００１０】
請求項３記載の発明は、請求項１または２記載の発明に加えて、上記光源は、上記ハウジングの底部あるいは側面内部に配置されることを特徴としている。
【００１１】
請求項４記載の発明は、請求項１乃至３のうちの一つに記載の発明に加えて、上記ハウジングは、予め成形加工されて上記光源を纏めて収容可能な構成とされ、上記光源同士のいずれかを仕切る部材は、上記ハウジングに設けられている嵌合部に対して着脱可能であることを特徴としている。
【００１２】
請求項５記載の発明は、請求項１乃至４のうちの一つに記載の発明に加えて、上記光源同士のいずれかを仕切る部材は、上記ハウジングに装着された際に抜け止めされることを特徴としている。
【００１３】
請求項６記載の発明は、請求項３または４記載の発明に加えて、上記光源同士のいずれかを仕切る部材は、上記嵌合部に対して締まり嵌めされる構成であることを特徴としている。
【発明の効果】
【００１４】
請求項１記載の発明によれば、ハウジング内に位置する光源同士のいずれかを仕切る部材が着脱可能に設けられているので、光源の使用形態に応じて仕切る部材の設置状態を変更することができる。これにより、光源の使用形態に関係なくハウジングを共用することができ、コスト上昇を防止することが可能となる。
【００１５】
請求項２記載の発明によれば、光源同士のいずれかを仕切る部材の表面が反射面とされているので、光源からの照射光を反射させることで仕切られた空間内に位置する光源とリールテープとの距離が離れているような場合でもリールテープに近い位置で光を拡散しやすくできる。これにより、仕切を設けた場合に発生しやすい陰影部分を反射面からの光の照射による光拡散によって目立ちにくい状態とすることができ、仕切られた光源同士の境目に生じる虞のある陰影部分が目障りとなる印象を与えないようにすることができる。
【００１６】
請求項３記載の発明によれば、ハウジングに設けられる光源がハウジングの底部あるいは側面内部に配置されることができるので、光源からの光の届きにくい状態を解消して照明効率を低下させないようにすることが可能となる。
【００１７】
請求項４記載の発明によれば、ハウジングが予め成形加工されて複数の光源を配置可能な構成とされているのに対して光源同士のいずれかを仕切る部材がハウジングに予め形成されている嵌合部に対して着脱できるので、ハウジングは上記しきるための部材を用いることで照明形態を変更した場合でも同じ構成のものを用いることができるので、一々構成のことなるハウジングを準備する必要がない。これにより、ハウジングを照明形態に関係なく共通化することでコスト低減が可能となる。
【００１８】
請求項５および６記載の発明によれば、照明形態に応じて用いられる仕切るための部材はハウジングに形成されている嵌合部に対して締まり嵌めなどにより抜け止めされているので、不用意に脱落などを起こすことがなく、脱落により選択された照明形態の維持が行えなくなるような事態を未然に防止することが可能となる。
【発明を実施するための最良の形態】
【００１９】
以下、図面により本発明を実施するための最良の形態について説明する。
【実施例】
【００２０】
本発明の対象である遊技機として、スロットマシンを対象としてその構成を説明する。
【００２１】
図１は本スロットマシン１００の外部構造を表した平面図、図２は本スロットマシン１００の内部構造を表した平面図、図３は本スロットマシン１００に設けられている制御システムの構成を表したブロック図である。
【００２２】
図１においてスロットマシン１００の外部構造を概説すると、スロットマシン１００は、遊技者に面するフロントドア１０１と、フロントドア１０１が開閉可能に取り付けられた後述の筐体１０２とを備えて構成されている。
【００２３】
フロントドア１０１は、機械的に強固な硬質プラスチックで成形された上部パネル部１０３と中部パネル部１０４及び下部パネル部１０５とを備えて構成されている。
【００２４】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００２５】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００２６】
更に中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２７】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると、後述の施錠機構ＬＫを解除し、フロントドア１０１を筐体１０２から開くことが可能となっている。
【００２８】
下部パネル部１０５には、本スロットマシン１００のゲーム内容を紹介等するための画像（図示略）が描かれており、更に遊技者の獲得した枚数の遊技メダルを払い出すための排出口１０５ａ及び受皿１０５ｂと、スピーカが取り付けられた放音部１０５ｃが設けられている。
【００２９】
次に、図２を参照して、フロントドア１０１の裏面構造と、筐体１０２の内部構造を概説する。なお、図２はフロントドア１０１を開錠して筐体１０２から開いた状態を表している。
【００３０】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００３１】
更に演出表示装置１０３ｄの裏面側には、電気回路基板で形成されたサブ制御基板３００が取り付けられている。
【００３２】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００３３】
演出表示装置１０３ｄとサブ制御基板３００の下方には、上述の透過窓ＷＤと中部パネル部１０４のパネル面とが形成された略長方形の枠体１０４ｄが取り付けられている。
【００３４】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用のメダルを排出口１０５ａへ案内するガイド部材Ｇ３が設けられ、更に排出口１０５ａの近傍に、放音部１０５ｃを構成するスピーカＳＷが取り付けられている。
【００３５】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている。
【００３６】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００３７】
更に、セレクト機構Ｇ０の側方に上述の施錠機構ＬＫが設けられ、筐体１０２の一端にロック部材ＬＯが固定されている。そして、フロントドア１０１を筐体１０２側に閉じると、施錠機構ＬＫがロック部材ＬＯに嵌着することによってフロントドア１０１を施錠し、一方、上述したように正規の鍵で開錠操作すると、施錠機構ＬＫがロック部材ＬＯから外れることによってフロントドア１０１を開錠することが可能となっている。
【００３８】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３９】
更に、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板としての外部集中端子基板８００が取り付けられている。
【００４０】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００４１】
ただし、サブ制御基板３００と主制御基板７００は、夫々硬質プラスチックの保護ケース内に個別に収納されたユニット構造となっている。
【００４２】
図３は、回動リールＲ１，Ｒ２，Ｒ３を纏めたリールユニット１０００のうちで、各リールを覆う部材の一つであるリールケース本体１００１のみが示されており、リールユニット１０００としては、リールケース本体１００１に加えて、回動リールの背面側を覆うリールケースカバー（図示されず）が備えられている。
図３において、リールケース本体１００１を有するリールユニット１０００は、内部に３個の回動リールＲ１，Ｒ２，Ｒ３が並置されている。
回動リールＲ１，Ｒ２，Ｒ３は、リールケース本体１００１に形成されている開口部１００１Ａから外部に露出しており、この位置が図１に示した透過窓ＷＤの位置に整合させてある。
【００４３】
リールユニット１０００には、各回動リールＲ１，Ｒ２，Ｒ３を構成するドラムの内部にリール背面からの照明を行う照明装置１００２が配置されている。
照明装置１００２は、図３において一部が示されているように、回動リールＲ１，Ｒ２，Ｒ３の内側で回動リールＲ１，Ｒ２，Ｒ３の内周面に近接した状態で配置されており、その構成が図４に示されている。
【００４４】
図４は、各回動リールＲ１，Ｒ２，Ｒ３の内部に設けられている照明装置１００２の一つを対象として主要部を示す図であり、（Ａ）は正面図、そして（Ｂ）は（Ａ）中符号（Ｂ）で示す方向の矢視断面図である。
【００４５】
図４において照明装置１００２は、ハウジング１００２Ａと、光源となるＬＥＤ１００３と、各光源同士のうちのいずれかを他のものから仕切る際に用いられる仕切部材１００４とを備えている。
ハウジング１００２Ａは、一面を開放した箱形状をなし、開放面側の内面が開放面に向かうに従い拡開する勾配面１００２Ａ１０とされている。
ハウジング１００２Ａは、底部１００２Ａ１側に設けてある係止片１００２Ａ’を図示しないリールユニット側の支持部に係合させてリールユニット内に設置されるようになっている。
ハウジング１００２Ａの底部１００２Ａ１には、光源となるＬＥＤ１００３同士の間を仕切ることができる溝（図４（Ｂ）参照）で構成された嵌合部１００５が形成されており、嵌合部１００５は、図４（Ａ）に示すように、各ＬＥＤ１００３を仕切って横断する状態で形成されている。
嵌合部１００５は、図４（Ａ）に示すように傾斜した状態で長手方向が設定されており、この理由は、ハウジング１００２Ａの底部１００２Ａ以外にこの部分と隣接する側壁１００２Ａ２の内面にも光源としてのＬＥＤ１００３’を設けた場合に、それらＬＥＤ１００３’を纏めて点灯させることができる領域を設定するためである。
【００４６】
嵌合部１００５には、ＬＥＤ同士のいずれかを仕切るための仕切部材１００４が嵌合されるようになっており、仕切部材１００４は、図４（Ｃ）に示すように、ハウジング１００２Ａの勾配面１００２Ａ１０に倣った端縁部１００４Ａを有する衝立状をなす板部材で構成され、その表面が反射面とされている。
反射面は、仕切部材１００４が樹脂部品である場合には、アルミニウムや銀などの光沢を持つ材料を蒸着処理し、また、金属材料である場合にはメッキ処理され、あるいは反射材料からなるテープなどを貼り付けることにより形成される。そして、反射面の形態としては、鏡面あるいは光の拡散を許容する乱反射面などが用いられる。
【００４７】
仕切部材１００４が着脱される嵌合部１００５は、装着された仕切部材１００４の脱落を防止するために抜け止め構造とされており、この構造としては、仕切部材１００４の板厚と嵌合部１００５の溝幅とを規定して締まり嵌めができる構造あるいは、図示しないが、ラッチ機構などの係止構造が用いられる。
【００４８】
ハウジング１００２Ａは、予め底部１００２Ａ１および側壁１００２Ａ２の内面にそれぞれ纏めて光源となるＬＥＤ１００３，１００３’を設けることができる構成を前提として樹脂成形されており、選択された嵌合部１００５に対して仕切部材１００４を着脱することで光源となるＬＥＤの点灯方式、つまり、３ライン、２ライン、１ライン点灯に応じた照明装置とすることができるようになっている。
また、嵌合部１００５に仕切部材１００４を嵌合させ、その仕切部材１００４の対向面間にＬＥＤ１００３’を配置して点灯した場合には、ＬＥＤ１００３’からの照射光が全て仕切部材１００４の内面に集中して反射することになり、仕切部材１００４間での輝度を上げて他の点灯方式と異なる照明状態とすることができる。  
【００４９】
本実施例は以上のような構成であるから、光源の点灯方式に関係なく全てのＬＥＤ１００３，１００３’を纏めて配置できる構成のハウジング１００２Ａを用い、点灯方式に応じて光源同士のいずれかを仕切ることにより光の拡散を抑えた照明が可能となる。つまり、３ライン点灯方式の場合には、各光源同士の間に仕切部材１００４を設け、１ライン点灯方式の場合には、仕切部材１００４を設けないようにする。これにより、各光源となるＬＥＤ１００３．１００３’からの照明光は、各照明ラインに応じた光源として機能することになるので、点灯方式に関係なくハウジング１００２Ａを共通に用いることができ、点灯方式毎でハウジングを準備するような必要がなくなる。
【００５０】
一方、光源となるＬＥＤ１００３，１００３’は、ハウジング１００２Ａの底部１００２Ａ１側あるいは側壁１００２Ａ２側にそれぞれ設けることができる部材であり、いずれの場合においても、点灯駆動回路基板Ｐ１，Ｐ２に取り付けられてハウジング１００２Ａの各部に装着される。
このように、ハウジング１００２Ａの底部１００２Ａ１と側壁１００２Ａ２とのいずれかあるいは両方を選択することで、リールに捲装されているリールテープへの光源からの距離を異ならせることができるので、入賞などの機会が近いような場合で点灯状態を変化させるなど趣向を凝らすことができる。
【００５１】
仕切部材１００４は、ハウジング１００２Ａの内部で光源同士の間に位置する衝立状の反射部材として機能するので、光源からリールテープに至る距離が離れているような場合でも光源からの光をリールテープに対して反射させることができる。このため、リールテープ側で発生する虞がある間仕切り部の陰影部分を仕切部材１００４での反射面による光の拡散によりぼかして目立たせなくできるので、陰影部分が遊技者にとって目障りとなるような事態を防止することができる。
なお、本実施例では、スロットマシンを遊技機の対象として挙げたが、本発明では、パチンコ機やゲーム機などを対象とすることも可能である。
【図面の簡単な説明】
【００５２】
【図１】本発明の実施例による遊技機の一例を示すスロットマシンの外観構造を概略的に示した平面図である。
【図２】図１に示したスロットマシンの内部構造を概略的に示した平面図である。
【図３】図１に示したスロットマシンに用いられるリールユニットの一部構造を示す外観図である。
【図４】図１に示したスロットマシンに用いられるランプハウジングの腰部構成を説明するための図であり、（Ａ）は正面図、（Ｂ）は（Ａ）中、符号（Ｂ）で示す方向の矢視断面図、（Ｃ）は（Ａ）中、符号（Ｃ）で示す方向の矢視図である。
【符号の説明】
【００５３】
１００              ストッロマシン
１０００            リールユニット
１００１            リールケース本体
１００２            照明装置
１００２Ａ          ハウジング
１００２Ａ１        底部
１００２Ａ２        側壁
１００３            ＬＥＤ
１００４            仕切部材
１００５            嵌合部
【図１】
2005124899.tif 000003
【図２】
2005124899.tif 000004
【図３】
2005124899.tif 000005
【図４】
2005124899.tif 000006